(57)【要約】【課題】オフセットの制御の競合を起因とした無線特性の劣化を防ぐ。【解決手段】直交変調されて送信されてきた無線信号の直交変調後に生じる直流オフセットを調整する直流オフセット調整部１１０と、直交変調前に生じる直流オフセットを調整する直流オフセット調整部１２０と、無線信号を送信するための送信側局部発振器の周波数と、無線信号を受信するための受信側局部発振器の周波数とが一致した場合、直流オフセット調整部１１０と直流オフセット調整部１２０とのいずれか一方に対して、直流オフセットの調整を中止させる制御部１３０とを有する。【選択図】図１
2016019213.tif 000002
【特許請求の範囲】
【請求項１】
直交変調されて送信されてきた無線信号の該直交変調後に生じる直流オフセットを調整する第１の直流オフセット調整部と、
前記無線信号の前記直交変調前に生じる直流オフセットを調整する第２の直流オフセット調整部と、
前記無線信号を送信するための送信側局部発振器の周波数と、該無線信号を受信するための受信側局部発振器の周波数とが一致した場合、前記第１の直流オフセット調整部と前記第２の直流オフセット調整部とのいずれか一方に対して、前記直流オフセットの調整を中止させる制御部とを有する無線通信装置。
【請求項２】
請求項１に記載の無線通信装置において、
前記第２の直流オフセット調整部から出力された信号について、前記直交変調における格子点との位置関係に基づいたシンボル判定を行い、該判定結果に基づいた極性信号と誤差信号とを出力する判定部と、
前記判定部から出力されてきた極性信号と誤差信号とに基づいて、位相差情報を算出し、該位相差情報を示す位相差情報信号を出力する位相比較部と、
前記位相比較部から出力されてきた位相差情報信号を平滑化して周波数情報を算出し、該周波数情報を示す周波数情報信号を出力するフィルタと、
前記フィルタから出力されてきた周波数情報信号を時間積分し、該積分結果を角度情報へ変換して該角度情報を示す角度情報信号を出力する数値制御発振器とを有し、
前記制御部は、前記数値制御発振器から出力されてきた角度情報信号が示す角度情報の変化に基づいて、前記送信側局部発振器の周波数と前記受信側局部発振器の周波数とが一致したかどうかを判定する無線通信装置。
【請求項３】
請求項２に記載の無線通信装置において、
前記制御部は、前記数値制御発振器から出力されてきた角度情報信号が示す角度情報の変化量が所定の閾値以下である場合、または該変化がない場合、前記送信側局部発振器の周波数と前記受信側局部発振器の周波数とが一致したと判定する無線通信装置。
【請求項４】
請求項２または請求項３に記載の無線通信装置において、
前記数値制御発振器から出力された角度情報信号の周波数を用いて、前記第１の直流オフセット調整部から出力された信号の位相を固定し、位相を固定した信号を前記第２の直流オフセット調整部へ出力するキャリア同期部を有し、
前記第２の直流オフセット調整部は、前記キャリア同期部から出力されてきた信号について、前記直交変調前に生じる直流オフセットを調整する無線通信装置。
【請求項５】
請求項２に記載の無線通信装置において、
前記制御部は、前記フィルタから出力されてきた周波数情報信号の絶対値が、所定の閾値よりも小さな場合、前記送信側局部発振器の周波数と前記受信側局部発振器の周波数とが一致したと判定する無線通信装置。
【請求項６】
直交変調されて送信されてきた無線信号の該直交変調後に生じる直流オフセットを調整する第１の直流オフセット調整処理と、
前記無線信号の前記直交変調前に生じる直流オフセットを調整する第２の直流オフセット調整処理と、
前記無線信号を送信するための送信側局部発振器の周波数と、該無線信号を受信するための受信側局部発振器の周波数とが一致した場合、前記第１の直流オフセット調整処理と前記第２の直流オフセット調整処理とのいずれか一方を中止させる処理とを行う直流オフセット制御方法。
【発明の詳細な説明】
【技術分野】
【０００１】
本発明は、直流オフセットを制御する無線通信装置および直流オフセット制御方法に関する。
【背景技術】
【０００２】
無線信号を送受信する無線通信システムにおいて、送信側装置にて、送信する信号に直交変調処理を施して送信し、受信側装置にて、受信した無線信号に直交復調処理を施し、元の信号を復元する技術を用いるものがある。このような技術において、送信側装置にて送信する信号に直流オフセット成分が生じるため、受信側装置にて、受信した信号からその直流オフセット成分を検出し、その結果に基づいた調整が必要となる。
近年、送信側装置から送信される信号を当該装置内で折り返し、直流オフセット成分を検出し、直交変調する信号のオフセットを調整する技術が考えられている（例えば、特許文献１参照。）。
また、マルチキャリア伝送において、送信されてきた無線信号に、各チャネルの選局情報に基づいて制御された発信周波数の発信信号を混合して周波数変換し、変換した信号から周波数オフセット状態を検出し、検出したオフセット相当分、発振周波数を選択的にシフトさせる装置が考えられている（例えば、特許文献２参照。）。
【先行技術文献】
【特許文献】
【０００３】
【特許文献１】国際公開第２００９／０７５１４４号
【特許文献２】特開２００１−２８５０３２号公報
【発明の概要】
【発明が解決しようとする課題】
【０００４】
送信側局部発振器における発振周波数と、受信側局部発振器における発振周波数との差分をディジタルＰＬＬ（Ｐｈａｓｅ  Ｌｏｃｋｅｄ  Ｌｏｏｐ）で吸収する準同期検波方式が、無線信号を送受信する方式の１つとして無線通信システムに適用されている。この準同期検波方式を用いた無線通信システムにおいて、送信側装置に具備された直交変調部に入力されるまでに生じる直流オフセット成分と、直交変調部から出力された後に生じる直流オフセット成分とを、受信側装置で補償する必要がある。
ここで、送信側局部発振器における発振周波数と受信側局部発振器における発振周波数とが一致した場合、直交変調部に入力されるまでに生じる直流オフセット成分を制御する対象と、直交変調部から出力された後に生じる直流オフセット成分を制御する対象とが同一となる。そのため、それらの制御が互いに競合し、無線特性の劣化を引き起こしてしまうおそれがある。
また、特許文献１，２に記載されたような技術においては、オフセットの最適な調整を行うものであって、オフセットの制御の競合を防ぐものではない。
本発明の目的は、上述した課題を解決する無線通信装置および直流オフセット制御方法を提供することである。
【課題を解決するための手段】
【０００５】
本発明の無線通信装置は、
直交変調されて送信されてきた無線信号の該直交変調後に生じる直流オフセットを調整する第１の直流オフセット調整部と、
前記無線信号の前記直交変調前に生じる直流オフセットを調整する第２の直流オフセット調整部と、
前記無線信号を送信するための送信側局部発振器の周波数と、該無線信号を受信するための受信側局部発振器の周波数とが一致した場合、前記第１の直流オフセット調整部と前記第２の直流オフセット調整部とのいずれか一方に対して、前記直流オフセットの調整を中止させる制御部とを有する。
また、本発明の直流オフセット制御方法は、
直交変調されて送信されてきた無線信号の該直交変調後に生じる直流オフセットを調整する第１の直流オフセット調整処理と、
前記無線信号の前記直交変調前に生じる直流オフセットを調整する第２の直流オフセット調整処理と、
前記無線信号を送信するための送信側局部発振器の周波数と、該無線信号を受信するための受信側局部発振器の周波数とが一致した場合、前記第１の直流オフセット調整処理と前記第２の直流オフセット調整処理とのいずれか一方を中止させる処理とを行う。
【発明の効果】
【０００６】
以上説明したように、本発明においては、オフセットの制御の競合を起因とした無線特性の劣化を防ぐことができる。
【図面の簡単な説明】
【０００７】
【図１】本発明の無線通信装置の第１の実施の形態を示す図である。
【図２】図１に示した無線通信装置における直流オフセット制御方法を説明するためのフローチャートである。
【図３】本発明の無線通信装置の第２の実施の形態を示す図である。
【図４】図３に示した直流オフセット調整部に入力される信号のコンスタレーションの一例を示す図である。
【図５】図３に示した直流オフセット調整部に入力される信号のコンスタレーションの一例を示す図である。
【図６】図３に示した直流オフセット調整部の内部構成の一例を示す図である。
【図７】図３に示した無線通信装置における直流オフセット制御方法を説明するためのフローチャートである。
【図８】本発明の無線通信装置の第３の実施の形態を示す図である。
【発明を実施するための形態】
【０００８】
以下に、本発明の実施の形態について図面を参照して説明する。
（第１の実施の形態）
【０００９】
図１は、本発明の無線通信装置の第１の実施の形態を示す図である。
本形態における無線通信装置１００は図１に示すように、直流オフセット調整部１１０，１２０と、制御部１３０とを具備している。なお、図１には、本形態における無線通信装置１００が具備する構成要素のうち、本実施の形態に関わる主要な構成要素の一例を示す。
直流オフセット調整部１１０は、直交変調されて送信されてきた無線信号（受信変調波）の直交変調後に生じる直流オフセットを調整する第１の直流オフセット調整部である。
直流オフセット調整部１２０は、無線信号の直交変調前に生じる直流オフセットを調整する第２の直流オフセット調整部である。
制御部１３０は、無線信号を送信するための送信側局部発振器の周波数と、無線信号を受信するための受信側局部発振器の周波数とが一致した場合、直流オフセット調整部１１０と直流オフセット調整部１２０とのいずれか一方に対して、直流オフセットの調整を中止させる。つまり、制御部１３０は、この場合、直流オフセット調整部１１０と直流オフセット調整部１２０とのいずれか一方に対して、直流オフセットの調整を行わせない。
【００１０】
以下に、図１に示した形態における直流オフセット制御方法について説明する。
図２は、図１に示した無線通信装置１００における直流オフセット制御方法を説明するためのフローチャートである。なお、以下の説明において、受信した直交変調波を直交復調し、アナログ−ディジタル変換する処理については省略している。
【００１１】
まず、直流オフセット調整部１１０が、受信変調波について、直交変調後に生じる直流オフセットを調整する（ステップＳ１）。続いて、直流オフセット調整部１２０が、直交変調前に生じる直流オフセットを調整する（ステップＳ２）。
すると、制御部１３０は、送信側の局部発振器の発振周波数と、受信側の局部発振器の発振周波数とが一致するかどうかを判定する（ステップＳ３）。この判定方法は、第２の実施の形態以降で具体的に説明する。制御部１３０は、送信側の局部発振器の発振周波数と、受信側の局部発振器の発振周波数とが一致すると判定した場合、直流オフセット調整部１１０に対して、直流オフセットの調整を中止させる（ステップＳ４）。
【００１２】
このように、受信変調波について、直交変調後に生じる直流オフセットと、直交変調前に生じる直流オフセットとを調整する際、送信側の局部発振器の発振周波数と、受信側の局部発振器の発振周波数とが一致する場合、これらの直流オフセットのいずれか一方の調整を行わない。これにより、オフセット調整の制御が同一となった場合であっても、制御の競合を防ぐことができ、無線特性の劣化を防止することができる。
（第２の実施の形態）
【００１３】
図３は、本発明の無線通信装置の第２の実施の形態を示す図である。
本形態は、本発明の無線通信装置１０１に対して変調波を送信する無線通信装置３００が設けられた通信システムである。
本形態における無線通信装置１０１は図３に示すように、直流オフセット調整部１１１，１２１と、制御部１３１と、直交復調部１４０と、受信側局部発振器１５０と、ＬＰＦ１６０，２１０と、Ａ／Ｄ変換部１７０と、キャリア同期部１８０と、判定部１９０と、位相比較部２００と、数値制御発振器２２０とを具備している。なお、図３には、本形態における無線通信装置１０１が具備する構成要素のうち、本実施の形態に関わる主要な構成要素の一例を示す。
また、無線通信装置３００は図３に示すように、Ｄ／Ａ変換部３１０と、ＬＰＦ３２０と、直交変調部３３０と、送信側局部発振器３４０とを具備している。なお、図３には、本形態における無線通信装置３００が具備する構成要素のうち、本実施の形態に関わる主要な構成要素の一例を示す。
【００１４】
Ｄ／Ａ変換部３１０は、送信する信号の同相チャネルであるＩｃｈと、直交チャネルであるＱｃｈとのそれぞれをディジタル信号からアナログ信号へ変換する。Ｄ／Ａ変換部３１０は、アナログ信号へ変換した信号をＬＰＦ３２０へ出力する。
ＬＰＦ３２０は、Ｄ／Ａ変換部３１０から出力されてきた信号の高周波成分を除去するローパスフィルタである。ＬＰＦ３２０は、高周波成分を除去した信号を直交変調部３３０へ出力する。
送信側局部発振器３４０は、所定の周波数で発振し、ＬＰＦ３２０から出力されてきた信号を無線送信するための搬送波を出力するＰＬＬである。
直交変調部３３０は、送信側局部発振器３４０から出力された搬送波を用いて、ＬＰＦ３２０から出力されてきた信号の直交変調を行い、直交変調を行った信号を送信変調波として無線通信装置１０１へ送信する。なお、本形態において、直交変調部３３０における変調方式は、ＱＰＳＫ（Ｑｕａｄｒａｔｕｒｅ  Ｐｈａｓｅ  Ｓｈｉｆｔ  Ｋｅｙｉｎｇ）である場合を例に挙げる。
【００１５】
直交復調部１４０は、無線通信装置３００から送信されてきた送信変調波を受信変調波として受信し、受信側局部発振器１５０から出力されてきた搬送波を用いて直交復調を行い、直交復調後の信号の同相チャネルであるＩｃｈと、直交チャネルであるＱｃｈとのそれぞれをＬＰＦ１６０へ出力する。
ＬＰＦ１６０は、直交復調部１４０から出力されてきた信号の高周波成分を除去するローパスフィルタである。ＬＰＦ１６０は、高周波成分を除去した信号をＡ／Ｄ変換部１７０へ出力する。
Ａ／Ｄ変換部１７０は、ＬＰＦ１６０から出力されてきた信号の同相チャネルであるＩｃｈと、直交チャネルであるＱｃｈとのそれぞれを、アナログ信号からディジタル信号へ変換する。Ａ／Ｄ変換部１７０は、ディジタル信号へ変換した信号を直流オフセット調整部１１１へ出力する。
直流オフセット調整部１１１は、Ａ／Ｄ変換部１７０から出力されてきた信号の領域Ａにおいて生じる直流オフセットを調整する第１の直流オフセット調整部である。このとき、直流オフセット調整部１１１は、判定部１９０から出力されてきた誤差信号を用いて、直流オフセットを調整する。直流オフセット調整部１１１は、直流オフセットを調整した信号をキャリア同期部１８０へ出力する。
【００１６】
図４は、図３に示した直流オフセット調整部１１１に入力される信号のコンスタレーションの一例を示す図である。
図３に示した直流オフセット調整部１１１に入力される信号のコンスタレーションは図４に示すように、送信側局部発振器３４０が発振する周波数と、受信側局部発振器１５０が発振する周波数との差分で決まる位相回転がかかる。また、領域Ａにおいて生じたＩｃｈおよびＱｃｈそれぞれの直流オフセット成分がＩ軸およびＱ軸それぞれのオフセットとなるため、この回転の円の中心が原点からずれ、理想格子点と実際の信号とのずれとして見える。
【００１７】
キャリア同期部１８０は、数値制御発振器２２０から出力された位相回転信号を用いて、直流オフセット調整部１１１から出力されてきた信号に位相回転を与えて、位相を固定する（位相回転を止める）。具体的には、直流オフセット調整部１１１から出力されてきた信号に、数値制御発振器２２０から出力された角度情報信号が示す角度情報を乗算する。これにより、キャリア同期部１８０は、位相回転を補償する。キャリア同期部１８０が与える位相回転の方向は、Ａ／Ｄ変換部１７０から出力された信号が受けている位相回転の方向に対して逆方向である。キャリア同期部１８０は、位相回転を止めた信号を直流オフセット調整部１２１へ出力する。
【００１８】
直流オフセット調整部１２１は、キャリア同期部１８０から出力されてきた信号の領域Ｂにおいて生じる直流オフセットを調整する第２の直流オフセット調整部である。このとき、直流オフセット調整部１２１は、判定部１９０から出力されてきた誤差信号を用いて、直流オフセットを調整する。直流オフセット調整部１２１は、直流オフセットを調整した信号を判定部１９０へ出力する。
【００１９】
図５は、図３に示した直流オフセット調整部１２１に入力される信号のコンスタレーションの一例を示す図である。
図３に示した直流オフセット調整部１２１に入力される信号のコンスタレーションは図５に示すように、キャリア同期部１８０によって位相回転が止められたものとなる。また、領域Ｂにおいて生じたＩｃｈおよびＱｃｈそれぞれの直流オフセット成分がＩ軸およびＱ軸それぞれのオフセットとなるため、理想格子点と実際の信号とのずれとして見える。
【００２０】
判定部１９０は、直流オフセット調整部１２１から出力された信号について、直交変調における格子点との位置関係に基づいたシンボル判定を行う。また、直流オフセット調整部１２１は、判定結果に基づいた極性信号と誤差信号とを出力する。ここで、シンボル判定とは、判定部１９０に入力された入力信号を、その入力信号との距離が最も近い格子点（位相情報）に判定することを示す。ＱＰＳＫ変調では、２値のバイナリデータ「００」、「０１」、「１０」および「１１」を４通りのあらかじめ定められた位相情報に変換する。変換方法は、送信側と受信側との間であらかじめ設定される。格子点は、図４や図５に示した理想格子点であり、ＱＰＳＫ変調の場合、２値のバイナリデータを４５°、１３５°、２２５°、３１５°の４通り存在する。Ｑ軸を垂直軸、Ｉ軸を水平軸とした極座標を考えた場合、各々の格子点の偏角が位相情報に相当する。この格子点で表現される位相情報が送信側で送付する情報であり、送信シンボルと呼ばれている。送信シンボルは、搬送波に乗せられ、送信側（無線通信装置３００）から受信側（無線通信装置１０１）へ送信され、最終的に受信側の判定部１９０に辿り着く。送信シンボルは、判定部１９０に辿り着く過程で、アナログ回路の不完全性に起因する直流オフセットや熱雑音に起因するノイズの影響を受ける。そのため、判定部１９０に入力される信号は、ノイズの影響を受けているため、送信シンボルと完全には一致しない。判定部１９０は、その入力信号を、その４通りの格子点と各々比較し、距離が最も近い格子点（差分が最も小さな格子点）をシンボル判定結果とする。判定部１９０は、入力信号から、それに対応するシンボル判定結果を差し引いた値を「誤差信号」とする。
【００２１】
また、「極性信号」は、シンボル判定の結果が正であるか負であるかを示す情報であり、例えば、２値の値で示すことができる。例えば、判定部１９０のＩｃｈの入力をＲｉとし、Ｑｃｈの入力をＲｑとし、判定部１９０におけるシンボル判定の結果のＩｃｈ成分をＳｉとし、Ｑｃｈ成分をＳｑとした場合、誤差信号のＩｃｈ成分ＥｉおよびＱｃｈ成分Ｅｑのそれぞれは、
Ｅｉ＝Ｒｉ−Ｓｉ
Ｅｑ＝Ｒｑ−Ｓｑ
と表現される。ここで、
Ｅｉ＞０，Ｅｑ＞０
である場合、判定部１９０は、入力信号（Ｉｃｈ／Ｑｃｈ）において、正極性の方向にオフセットが付加されていると推定し、極性信号が「正極性」を示すものとする。
一方、
Ｅｉ＜０，Ｅｑ＜０
である場合は、判定部１９０は、入力信号（Ｉｃｈ／Ｑｃｈ）において、負極性の方向にオフセットが付加されていると推定し、極性信号が「負極性」を示すものとする。
【００２２】
位相比較部２００は、判定部１９０から出力されてきた極性信号と誤差信号とに基づいて、位相差情報を算出する。この位相差情報の算出方法は、一般的な算出方法で良い。また、位相比較部２００は、算出した位相差情報を示す位相差情報信号をＬＰＦ２１０へ出力する。
ＬＰＦ２１０は、位相比較部２００から出力されてきた位相差情報信号を平滑化して周波数情報を算出するフィルタ（ローパスフィルタ）である。ＬＰＦ２１０は、周波数情報を示す周波数情報信号を数値制御発振器２２０へ出力する。
数値制御発振器２２０は、ＬＰＦ２１０から出力されてきた周波数情報信号を時間積分し、積分結果を「ｓｉｎ」や「ｃｏｓ」の角度情報へ変換し、角度情報を示す角度情報信号をキャリア同期部１８０および制御部１３１へ出力するキャリア再生用のディジタルＰＬＬである。
制御部１３１は、送信側局部発振器３４０が発振する周波数と、受信側局部発振器１５０が発振する周波数とが一致した場合、直流オフセット調整部１１１と直流オフセット調整部１２１とのいずれか一方に対して、直流オフセットの調整を中止させる。つまり、制御部１３１は、この場合、直流オフセット調整部１１１と直流オフセット調整部１２１とのいずれか一方に対して、直流オフセットの調整を行わせない。具体的には、制御部１３１は、直流オフセットの調整を中止する旨を示す制御信号を、直流オフセット調整部１１１と直流オフセット調整部１２１とのいずれか一方に対して出力する。このとき、制御部１３１は、数値制御発振器２２０の出力である角度情報信号が示す角度情報を観測し、時間に対する、角度情報の変化量が極めて小さい（所定の閾値以下である）、または変化が無い場合、送信側局部発振器３４０が発振する周波数と、受信側局部発振器１５０が発振する周波数とが一致したと判定する。ここで、角度情報の変化量を判定するために用いる基準値（閾値）は、設計時にあらかじめ設定される、極めて小さな値である。また、制御部１３１は、送信側局部発振器３４０が発振する周波数と、受信側局部発振器１５０が発振する周波数とが一致しない場合、直流オフセット調整部１１１および直流オフセット調整部１２１に対して、直流オフセットの調整を中止させることはしない。
【００２３】
図６は、図３に示した直流オフセット調整部１１１の内部構成の一例を示す図である。なお、図３に示した直流オフセット調整部１２１の内部構成についても、同様である。
図３に示した直流オフセット調整部１１１は図６に示すように、反転回路１１２と、セレクタ１１３と、アップダウンカウンタ１１４と、加算器１１５とを具備している。
反転回路１１２は、判定部１９０から出力されてきた誤差信号の極性を反転する。反転回路１１２は、極性を反転させた誤差信号を、アップダウンカウンタ１１４のＵＤ＿ＳＥＬ端子へ出力する。
セレクタ１１３は、制御部１３１から設定された、または、外部から入力された段数選択信号に基づいて、あらかじめ設定された複数のカウント幅の中から、アップダウンカウンタ１１４のカウント幅を選択する。
アップダウンカウンタ１１４は、制御部１３１から出力されてきた制御信号をイネーブル信号として入力して動作するカウンタである。また、アップダウンカウンタ１１４は、ＵＤ＿ＳＥＬ端子に入力された信号の極性に基づいて、カウントアップとカウントダウンとのいずれか一方の動作を行う。また、アップダウンカウンタ１１４は、段数選択信号に基づいて、あらかじめ設定された複数のカウント幅の中から１つのカウント幅を用いてカウントする。なお、アップダウンカウンタ１１４からの出力の初期値は「０」である。
【００２４】
ここで、アップダウンカウンタ１１４の具体的な動作について説明する。
判定部１９０において算出された誤差信号が、
Ｅｉ＞０，Ｅｑ＞０
である場合、入力信号に対して負の方向にオフセットをかけて補正するために、アップダウンカウンタ１１４は、セレクタ１１３が、段数選択信号に基づいて選択しているカウンタ段数に従ってカウントダウンを行う。例えば、セレクタ１１３がカウンタ段数として「２＾−１３」を選択している場合、アップダウンカウンタ１１４は、１／２＾１３の幅でカウントダウンを行う。
一方、判定部１９０において算出された誤差信号が、
Ｅｉ＜０，Ｅｑ＜０
である場合は、入力信号に対して正の方向にオフセットをかけて補正するために、アップダウンカウンタ１１４は、セレクタ１１３が、段数選択信号に基づいて選択しているカウンタ段数に従ってカウントアップを行う。例えば、セレクタ１１３がカウンタ段数として「２＾−１３」を選択している場合、アップダウンカウンタ１１４は、１／２＾１３の幅でカウントアップを行う。
加算器１１５は、Ａ／Ｄ変換部１７０から出力されてきた主信号と、アップダウンカウンタ１１４から出力されてきた直流オフセット調整値とを加算する。加算器１１５は、加算した信号をキャリア同期部１８０へ出力する。
【００２５】
このように、アップダウンカウンタ１１４が、誤差信号の極性に基づいてカウントアップ／カウントダウンを行い、加算器１１５が、カウンタ値と入力信号とを加算していくことにより、最適値（格子点）へ収束させていく。
【００２６】
なお、図６に示した構成では、制御信号をアップダウンカウンタ１１４のＥｎａｂｌｅ端子に入力させて、制御信号に基づいてアップダウンカウンタ１１４の動作を止める場合を例に挙げて示した。
変形例として、制御信号を用いて、アップダウンカウンタ１１４から出力された直流オフセット調整値の加算器１１５への入力にゲートをかけるものであっても良い。つまり、制御信号が直流オフセットの調整を中止する旨を示すものである場合、加算器１１５が主信号と直流オフセット調整値とを加算せずに、主信号をそのまま出力するように制御するものであっても良い。
【００２７】
以下に、図３に示した無線通信装置１０１における直流オフセット制御方法について説明する。
図７は、図３に示した無線通信装置１０１における直流オフセット制御方法を説明するためのフローチャートである。ここでは、無線通信装置１０１が受信変調波を受信してから、図３に示した直交復調部１４０、ＬＰＦ１６０およびＡ／Ｄ変換部１７０における処理の説明を省略する。
【００２８】
直流オフセット調整部１１１が、Ａ／Ｄ変換部１７０から出力されてきた信号の領域Ａにおいて生じる直流オフセットを調整する（ステップＳ１１）。直流オフセット調整部１１１は、直流オフセットを調整した信号をキャリア同期部１８０へ出力する。続いて、キャリア同期部１８０が、直流オフセット調整部１１１から出力されてきた信号に位相回転を与えて、位相回転を停止させる（ステップＳ１２）。キャリア同期部１８０は、位相回転を停止させた信号を直流オフセット調整部１２１へ出力する。続いて、直流オフセット調整部１２１が、キャリア同期部１８０から出力されてきた信号の領域Ｂにおいて生じる直流オフセットを調整する（ステップＳ１３）。直流オフセット調整部１２１は、直流オフセットを調整した信号を判定部１９０へ出力する。
すると、判定部１９０が、直流オフセット調整部１２１から出力されてきた信号について、変調における格子点との位置関係に基づいたシンボル判定を行う（ステップＳ１４）。直流オフセット調整部１２１は、判定結果に基づいた極性信号と誤差信号とを出力する。
すると、位相比較部２００は、判定部１９０から出力されてきた極性信号と誤差信号とに基づいて、位相差情報を算出する（ステップＳ１５）。位相比較部２００は、算出した位相差情報を示す位相差情報信号をＬＰＦ２１０へ出力する。ＬＰＦ２１０は、位相比較部２００から位相差情報信号が出力されてくると、当該位相差情報信号を平滑化して周波数情報を算出する（ステップＳ１６）。ＬＰＦ２１０は、算出した周波数情報を示す周波数情報信号を数値制御発振器２２０へ出力する。
続いて、数値制御発振器２２０は、ＬＰＦ２１０から出力されてきた周波数情報信号を時間積分し、積分結果を角度情報へ変換する（ステップＳ１７）。数値制御発振器２２０は、角度情報を示す角度情報信号をキャリア同期部１８０および制御部１３１へ出力する。
すると、制御部１３１は、数値制御発振器２２０から出力された角度情報信号が示す角度情報の時間的変化が極めて小さい、または変化が無いかどうかを判定する（ステップＳ１８）。
数値制御発振器２２０から出力された角度情報信号が示す角度情報の時間的変化が極めて小さい、または変化が無い場合、制御部１３１は、送信側局部発振器３４０が発振する周波数と、受信側局部発振器１５０が発振する周波数とが一致したと判定する。すると、制御部１３１は、直流オフセット調整部１１１に対して、直流オフセットの調整を中止させる（ステップＳ１９）。ここでは、制御部１３１は、直流オフセット調整部１１１に対して、直流オフセットの調整を中止させる場合を例に挙げているが、直流オフセット調整部１２１に対して、直流オフセットの調整を中止させるものであっても良い。
【００２９】
なお、制御部１３１は、送信側局部発振器３４０が発振する周波数と、受信側局部発振器１５０が発振する周波数とが一致したと判定した場合、直流オフセット調整部１１１に対して、カウント幅として最大値を選択するような段数選択信号を設定し、制御のスピードを遅くするものであっても良い。
【００３０】
このように、制御部１３１は、送受の局部発振器間で生じる周波数の差分を吸収するための数値制御発振器２２０の出力を観測し、その出力の変化が極めて小さい、または変化が無い場合、直流オフセット調整部１１１または直流オフセット調整部１２１の制御を止める。これにより、送信側局部発振器３４０の周波数と受信側局部発振器１５０の周波数とが一致した場合、直流オフセット調整部１１１における制御と、直流オフセット調整部１２１における制御との競合が生じてしまうことを避けることができる。
（第３の実施の形態）
【００３１】
図８は、本発明の無線通信装置の第３の実施の形態を示す図である。
本形態は、本発明の無線通信装置１０２に対して変調波を送信する無線通信装置３００が設けられた通信システムである。無線通信装置３００については、第２の実施の形態と同じものである。
本形態における無線通信装置１０２は図８に示すように、直流オフセット調整部１１１，１２１と、制御部１３２と、直交復調部１４０と、受信側局部発振器１５０と、ＬＰＦ１６０，２１０と、Ａ／Ｄ変換部１７０と、キャリア同期部１８０と、判定部１９０と、位相比較部２００と、数値制御発振器２２０とを具備している。なお、図８には、本形態における無線通信装置１０２が具備する構成要素のうち、本実施の形態に関わる主要な構成要素の一例を示す。
【００３２】
直流オフセット調整部１１１，１２１、直交復調部１４０、受信側局部発振器１５０、ＬＰＦ１６０，２１０、Ａ／Ｄ変換部１７０、キャリア同期部１８０、判定部１９０、位相比較部２００および数値制御発振器２２０は、第２の実施の形態と同じものである。
制御部１３２は、送信側局部発振器３４０が発振する周波数と、受信側局部発振器１５０が発振する周波数とが一致した場合、直流オフセット調整部１１１と直流オフセット調整部１２１とのいずれか一方に対して、直流オフセットの調整を中止させる。つまり、制御部１３２は、この場合、直流オフセット調整部１１１と直流オフセット調整部１２１とのいずれか一方に対して、直流オフセットの調整を行わせない。具体的には、制御部１３２は、直流オフセットの調整を中止する旨を示す制御信号を、直流オフセット調整部１１１と直流オフセット調整部１２１とのいずれか一方に対して出力する。このとき、制御部１３２は、ＬＰＦ２１０から出力されてきた周波数情報信号の絶対値が、所定の閾値よりも小さな場合、送信側局部発振器３４０の周波数と受信側局部発振器１５０の周波数とが一致したと判定する。この閾値は、設計時にあらかじめ設定される値である。また、制御部１３２は、送信側局部発振器３４０が発振する周波数と、受信側局部発振器１５０が発振する周波数とが一致しない場合、直流オフセット調整部１１１および直流オフセット調整部１２１に対して、直流オフセットの調整を中止させることはしない。
【００３３】
このように、制御部１３２は、位相差情報信号に基づいて周波数情報を算出するＬＰＦ２１０から出力されてきた周波数情報信号を観測し、その周波数情報信号の絶対値が所定の閾値よりも小さな場合、直流オフセット調整部１１１または直流オフセット調整部１２１の制御を止める。これにより、送信側局部発振器３４０の周波数と受信側局部発振器１５０の周波数とが一致した場合、直流オフセット調整部１１１における制御と、直流オフセット調整部１２１における制御との競合が生じてしまうことを避けることができる。
【００３４】
なお、制御部１３１が、直流オフセット調整部１１１の入力信号をモニタし、入力信号に位相回転がかかっているかどうかに基づいて、送信側局部発振器３４０が発振する周波数と、受信側局部発振器１５０が発振する周波数とが一致しているかどうかを判定することも可能である。つまり、直流オフセット調整部１１１の入力信号に位相回転がかかっていない（入力信号が図５に示すようなコンスタレーションである）場合、制御部１３１が、送信側局部発振器３４０が発振する周波数と、受信側局部発振器１５０が発振する周波数とが一致していると判定するものであっても良い。
【００３５】
上記の実施の形態の一部または全部は、以下の付記のようにも記載され得るが、以下には限られない。
（付記１）直交変調されて送信されてきた無線信号の該直交変調後に生じる直流オフセットを調整する第１の直流オフセット調整部と、
前記無線信号の前記直交変調前に生じる直流オフセットを調整する第２の直流オフセット調整部と、
前記無線信号を送信するための送信側局部発振器の周波数と、該無線信号を受信するための受信側局部発振器の周波数とが一致した場合、前記第１の直流オフセット調整部と前記第２の直流オフセット調整部とのいずれか一方に対して、前記直流オフセットの調整を中止させる制御部とを有する無線通信装置。
（付記２）前記第２の直流オフセット調整部から出力された信号について、前記直交変調における格子点との位置関係に基づいたシンボル判定を行い、該判定結果に基づいた極性信号と誤差信号とを出力する判定部と、
前記判定部から出力されてきた極性信号と誤差信号とに基づいて、位相差情報を算出し、該位相差情報を示す位相差情報信号を出力する位相比較部と、
前記位相比較部から出力されてきた位相差情報信号を平滑化して周波数情報を算出し、該周波数情報を示す周波数情報信号を出力するフィルタと、
前記フィルタから出力されてきた周波数情報信号を時間積分し、該積分結果を角度情報へ変換して該角度情報を示す角度情報信号を出力する数値制御発振器とを有し、
前記制御部は、前記数値制御発振器から出力されてきた角度情報信号が示す角度情報の変化に基づいて、前記送信側局部発振器の周波数と前記受信側局部発振器の周波数とが一致したかどうかを判定する、付記１に記載の無線通信装置。
（付記３）前記制御部は、前記数値制御発振器から出力されてきた角度情報信号が示す角度情報の変化量が所定の閾値以下である場合、または該変化がない場合、前記送信側局部発振器の周波数と前記受信側局部発振器の周波数とが一致したと判定する、付記２に記載の無線通信装置。
（付記４）前記数値制御発振器から出力された角度情報信号の周波数を用いて、前記第１の直流オフセット調整部から出力された信号の位相を固定し、位相を固定した信号を前記第２の直流オフセット調整部へ出力するキャリア同期部を有し、
前記第２の直流オフセット調整部は、前記キャリア同期部から出力されてきた信号について、前記直交変調前に生じる直流オフセットを調整する、付記２または付記３に記載の無線通信装置。
（付記５）前記制御部は、前記フィルタから出力されてきた周波数情報信号の絶対値が、所定の閾値よりも小さな場合、前記送信側局部発振器の周波数と前記受信側局部発振器の周波数とが一致したと判定する、付記２に記載の無線通信装置。
（付記６）直交変調されて送信されてきた無線信号の該直交変調後に生じる直流オフセットを調整する第１の直流オフセット調整処理と、
前記無線信号の前記直交変調前に生じる直流オフセットを調整する第２の直流オフセット調整処理と、
前記無線信号を送信するための送信側局部発振器の周波数と、該無線信号を受信するための受信側局部発振器の周波数とが一致した場合、前記第１の直流オフセット調整処理と前記第２の直流オフセット調整処理とのいずれか一方を中止させる処理とを行う直流オフセット制御方法。
【符号の説明】
【００３６】
１００，１０１，１０２，３００    無線通信装置
１１０，１１１，１２０，１２１    直流オフセット調整部
１１２    反転回路
１１３    セレクタ
１１４    アップダウンカウンタ
１１５    加算器
１３０，１３１，１３２    制御部
１４０    直交復調部
１５０    受信側局部発振器
１６０，２１０，３２０    ＬＰＦ
１７０    Ａ／Ｄ変換部
１８０    キャリア同期部
１９０    判定部
２００    位相比較部
２２０    数値制御発振器
３１０    Ｄ／Ａ変換部
３３０    直交変調部
３４０    送信側局部発振器
【図１】
2016019213.tif 000003
【図２】
2016019213.tif 000004
【図３】
2016019213.tif 000005
【図４】
2016019213.tif 000006
【図５】
2016019213.tif 000007
【図６】
2016019213.tif 000008
【図７】
2016019213.tif 000009
【図８】
2016019213.tif 000010